(57)【要約】      （修正有）【課題】従来の太陽熱温水器は集熱部分の熱媒体が完全に抜けない、又、耐腐食性金属の使用で価格が高く、初期投資費用を回収するのに、１５年以上を要するなど、より安価な太陽熱温水器の提供が望まれている。【解決手段】多数の仕切りがある二層構造の樹脂プレートを集熱板１とし、下部より水道水を供給し、上部より太陽熱で加温された温水を得るワンパス方式のシンプルな構造の太陽熱温水器を考案した。このため、最下部の水抜き栓の開放で装置内の水はほとんど抜けてしまう。ここで使用する多数の仕切りがある二層構造の樹脂プレートは安価に市販されており、低価格の太陽熱温水器となり、初期投資費用は１０年以内で回収可能となる。【選択図】図１
2011027385.tif 000002
【特許請求の範囲】
【請求項１】
多数の仕切りがある二層構造の樹脂プレートを用いた太陽熱温水器集熱板。
【請求項２】
多数の仕切りがある二層構造の樹脂プレートを集熱板に用い、この集熱板放熱ロス防止の為、下に断熱材、上部に透明カバーのサンドイッチ構造とし、これを枠に入れた太陽熱温水器。
【発明の詳細な説明】
【技術分野】
【０００１】  本発明は、安価な樹脂プレートを用いた太陽熱温水器に関するものである。
【背景技術】
【０００２】  太陽熱温水器はさまざまなものが開発され広く普及している。その集熱部分は金属ではプレート式、パイプ式、樹脂では袋式、ホース式、その他様々な形態がある他、熱回収についても強制循環式、自然対流式、水道圧等を利用した通水方式等々がある。
【先行技術文献】
【０００３】
【特許文献１】特開２００８−２２４２０２
【特許文献２】特開２００４−２１２０２７
【特許文献３】特開２００２−４８４１８
【特許文献４】特開２００１−２７２１１２
【発明の概要】
【発明が解決しようとする課題】
【０００４】  しかしながら、上記特許文献１、２では集熱部分の熱媒体が完全に抜けない欠点がある。又、上記特許文献３、４では金属製太陽熱温水器であり、耐腐食性金属を使用するので価格が高い。
【課題を解決するための手段】
【０００５】  そこで、本発明にあっては、上記課題を解決するため、多数の仕切りがある二層構造の樹脂プレートを集熱板とし、下部より水道水を供給し、上部より太陽熱で加温された温水を得るワンパス方式の太陽熱温水器を開発した。このため、最下部の水抜き栓の開放で装置内の水はほとんど抜けてしまう。ここで使用する多数の仕切りがある二層構造の樹脂プレートは安価に市販されており、低価格の太陽熱温水器の提供を可能とする。
【発明の効果】
【０００６】  太陽熱温水器が広く普及しない理由の一つは太陽熱温水器システムの価格であり、初期投資費用を回収するのに、現在の市販品で試算すると１５年以上となる。本発明ではこれが１０年以下となる。本発明で使用する多数の仕切りがある二層構造の樹脂プレートは安価で市販されており、これを用いると従来にない安い価格で、太陽熱温水器の製作が可能となり、材料費のみでは初期費用が数年で回収される。
【図面の簡単な説明】
【０００７】
【図１】本発明の多数の仕切りがある二層構造の樹脂プレートを用いた集熱板の見取り図である。
【図２】多数の仕切りがある二層構造の樹脂プレートの見取り図である。
【図３】本発明の太陽熱温水器の構成図である。
【図４】本発明の太陽熱温水器組立て後の図である。
【図５】本発明を使用したシステムの例図である。
【発明を実施するための形態】
【０００８】  以下、本発明の実施の形態について、図面を参照しつつ詳細に説明すれば、図１は本発明の実施例を表すもっとも分かり易い集熱板の見取り図を示すが、集熱板本体▲１▼には多数の仕切りがある二層構造の樹脂プレートを使用する。このプレートには前後に塩ビパイプで作成したアダプターが取り付けられている。塩ビパイプのサイズはＶＰ１３で、アダプターはＴ管▲２▼、単管▲３▼、ＣＡＰ▲４▼から成り、Ｔ管▲２▼には水の出入口用の単管▲５▼が取り付けられている。
【０００９】  本発明に使用する多数の仕切りがある二層構造の樹脂プレート▲１▼について説明すると、図２に示すように、上面▲６▼と下面▲７▼から成り、上下面の間には仕切り▲８▼が多数設けられている。市販の樹脂プレートの一例としては厚さが４ｍｍ、仕切り間隔は約４．４ｍｍで、シート幅９００ｍｍに約２００もの仕切りがある。この樹脂プレートには白、赤、黄色、緑、青、黒、透明と様々であるが、主には黒色を使用する。黒色以外を使用する時は、黒に塗装して共する。又、材質はポリプロピレン、ポリカーボネート等がある。
【００１０】  本発明の太陽熱温水器は、図３に示すように、五つの部分から構成されている。下から外枠▲９▼、この外枠には屋根取り付け用の支持部がある。次に厚さ２０〜３０ｍｍの断熱材▲１０▼、その上に集熱板▲１▼、その上に上部カバー用の支え▲１１▼、最上部の透明カバー▲１２▼となっている。透明カバー▲１２▼としてはガラス、アクリル板、ポリカーボネート板、塩ビ板等が使用できる。
【００１１】  図４は図３を組立てた太陽熱温水器▲１３▼の外観を示した。両端中央部から水出入用のホース接続部▲５▼が外に出ている。
【００１２】  本発明のシンプルな太陽熱温水器システムを例として図５に示した。ここで製作出来る太陽熱温水器▲１３▼の受熱面積は約１．４ｍ２である。太陽熱温水器▲１３▼１基当り水道水の滞留時間は約２０分を目安に通水する。太陽熱温水器▲１３▼の内容量は約６Ｌなので１時間当り約１８Ｌの通水となる。６時間では約１００Ｌの５０〜６０℃の温水が得られる。温水の使用のニーズに合わせて、必要な太陽熱温水器▲１３▼数を設置する。ワンパス型なので、温水槽が必要で、少し大きめのタンクを設置する。太陽熱温水器▲１３▼を出た後は放熱防止のため、設備はすべて断熱する。温水槽には液面測定用の用具と温度計を準備する。温水槽を設置せず、浴槽に直接入れる場合は浴槽に断熱マットを敷くなど、放熱ロス対策が必要となる。
【実施例１】  縦５６ｃｍ、横２８ｃｍの集熱板を試作し、快晴、気温１２℃、水温１１℃における、実施例を以下に示す。透明カバーにはガラスを用いた。
2011027385.tif 000003
【実施例２】  縦１７０ｃｍ、横８４ｃｍの集熱板を３基製作し、図５に示す装置システム構築した。晴、気温２５℃、水温１８℃における、実施例を以下に示す。透明カバーにはアクリル板を用いた。
2011027385.tif 000004
【符号の説明】
【００１３】▲１▼多数の仕切りがある二層構造の樹脂プレート
▲２▼塩ビパイプ継ぎ手ＴＳ１３Ｔ（Ｔ管）
▲３▼塩ビパイプＶＰ１３（単管）
▲４▼塩ビパイプ継ぎ手ＴＳ１３ＣＡＰ（止め管）
▲５▼塩ビパイプＶＰ１３（水出入用単管）
▲６▼多数の仕切りがある二層構造の樹脂プレートの上面
▲７▼多数の仕切りがある二層構造の樹脂プレートの下面
▲８▼多数の仕切りがある二層構造の樹脂プレートの仕切り
▲９▼太陽熱温水器の外枠
▲１０▼断熱材
▲１１▼透明カバーの支え
▲１２▼透明カバー
▲１３▼太陽熱温水器
▲１４▼水道水元弁
▲１５▼水抜き用コック
▲１６▼流量調節用コック
▲１７▼温水タンク
▲１８▼温水タンクの元コック
▲１９▼浴槽用コック
▲２０▼台所用コック
【図１】
2011027385.tif 000005
【図２】
2011027385.tif 000006
【図３】
2011027385.tif 000007
【図４】
2011027385.tif 000008
【図５】
2011027385.tif 000009